(57)【要約】【課題】より簡素な構成によって肌が傷つけられるのを抑制することができるカミソリ刃を得る。【解決手段】端縁に刃先２ａが形成された薄板状の刃部２の表面が肌表面２０に対して斜めとなる姿勢で肌表面２０に沿って動かされるカミソリ刃において、刃部２の肌側表面２ｂが刃先２ａより基端側となる位置で隆起されて肌当接部３が形成される。【選択図】図３
2008132002.tif 000002
【特許請求の範囲】
【請求項１】
端縁に刃先が形成された薄板状の刃部の表面が肌に対して斜めとなる姿勢で肌に沿って動かされるカミソリ刃において、
前記刃部の肌側表面が前記刃先より基端側となる位置で隆起されて肌当接部が形成されたことを特徴とするカミソリ刃。
【請求項２】
前記肌当接部は、曲面状に形成されていることを特徴とする請求項１に記載のカミソリ刃。
【請求項３】
前記刃部を複数備え、
前記複数の刃部のうち一部の刃部に前記肌当接部が形成されていることを特徴とする請求項１または２に記載のカミソリ刃。
【請求項４】
前記肌当接部が前記刃先に沿って部分的に形成されていることを特徴とする請求項１〜３のうちいずれか一つに記載のカミソリ刃。
【請求項５】
前記肌当接部の隆起高さが前記刃先に沿って部分的に異なっていることを特徴とする請求項１〜４のうちいずれか一つに記載のカミソリ刃。
【請求項６】
端縁に刃先が形成された薄板状の刃部を複数備え、当該複数の刃部が格子状に配列されるとともに、当該複数の刃部の表面が肌に対して斜めとなる姿勢で肌に沿って動かされるカミソリ刃において、
前記刃部の肌側表面上に、前記刃先方向と交叉する方向に当該刃先を跨ぐ肌当接部を複数備えるとともに、当該複数の肌当接部が格子状に配列されたカバーを備え、
前記刃の格子点と前記肌当接部の格子点とが相互にずれていることを特徴とするカミソリ刃。
【発明の詳細な説明】
【技術分野】
【０００１】
本発明は、カミソリ刃に関する。
【背景技術】
【０００２】
従来、端縁に刃先が形成された薄板状の刃部の表面が肌に対して斜めとなる姿勢で肌に沿って動かされるカミソリ刃が知られている。
【０００３】
この種のカミソリ刃では、刃先によって肌が傷つけられるのを抑制するため、カミソリ刃を保持する台座に、相対的に刃先を引き込ませる突起を設けたものが知られている。
【特許文献１】実開平４−１４６７８９号公報
【発明の開示】
【発明が解決しようとする課題】
【０００４】
しかしながら、台座にこのような突起を設けるのは製造上手間がかかる上、メッシュ刃等、刃先の近傍で肌側に回り込む台座を有さないタイプのカミソリについては、効果が得られないという問題があった。
【０００５】
そこで、本発明は、より簡素な構成によって肌が傷つけられるのを抑制することができるカミソリ刃を得ることを目的とする。
【課題を解決するための手段】
【０００６】
請求項１の発明にあっては、端縁に刃先が形成された薄板状の刃部の表面が肌に対して斜めとなる姿勢で肌に沿って動かされるカミソリ刃において、前記刃部の肌側表面が前記刃先より基端側となる位置で隆起されて肌当接部が形成されたことを特徴とする。
【０００７】
請求項２の発明にあっては、前記肌当接部は、曲面状に形成されていることを特徴とする。
【０００８】
請求項３の発明にあっては、前記刃部を複数備え、前記複数の刃部のうち一部の刃部に前記肌当接部が形成されていることを特徴とする。
【０００９】
請求項４の発明にあっては、前記肌当接部が前記刃先に沿って部分的に形成されていることを特徴とする。
【００１０】
請求項５の発明にあっては、前記肌当接部の隆起高さが前記刃先に沿って部分的に異なっていることを特徴とする。
【００１１】
請求項６の発明にあっては、端縁に刃先が形成された薄板状の刃部を複数備え、当該複数の刃部が格子状に配列されるとともに、当該複数の刃部の表面が肌に対して斜めとなる姿勢で肌に沿って動かされるカミソリ刃において、前記刃部の肌側表面上に、前記刃先方向と交叉する方向に当該刃先を跨ぐ肌当接部を複数備えるとともに、当該複数の肌当接部が格子状に配列されたカバーを備え、前記刃の格子点と前記肌当接部の格子点とが相互にずれていることを特徴とする。
【発明の効果】
【００１２】
請求項１の発明によれば、刃部に直接肌当接部を形成したため、突起を設けた台座を設ける必要が無い分、肌が傷つけられるのを抑制できるカミソリ刃をより簡素な構成によって得ることができる上、メッシュ刃等、刃先の近傍で肌側に回り込む台座を有さないタイプのカミソリについても適用することができる。
【００１３】
請求項２の発明によれば、肌当接部を曲面状に形成したため、カミソリ刃をより円滑に動かすことができる。
【００１４】
請求項３の発明によれば、複数の刃部のうち一部の刃部に肌当接部を形成したため、肌当接部によって毛屑や皮脂、剃毛時に使用した剤等が堰き止められて溜まるのを抑制することができる。
【００１５】
請求項４の発明によれば、肌当接部を刃先に沿って部分的に形成したため、肌当接部によって毛屑や皮脂、剃毛時に使用した剤等が堰き止められて溜まるのを抑制することができる。
【００１６】
請求項５の発明によれば、肌当接部の隆起高さを刃先に沿って部分的に異ならせたため、肌当接部によって毛屑や皮脂、剃毛時に使用した剤等が堰き止められて溜まるのを抑制することができる。
【００１７】
請求項６の発明によれば、複数の刃部が格子状に配列されたカミソリ刃の肌側に、複数の肌当接部が格子状に配列されたカバーを被せるという比較的簡素な構成によって、肌が傷つけられるのを抑制できるカミソリ刃を得ることができる。
【発明を実施するための最良の形態】
【００１８】
以下、本発明の実施形態について図面を参照しながら詳細に説明する。
【００１９】
（第１実施形態）図１は、本実施形態にかかるカミソリ刃の平面図、図２は、図１のII−II断面図、図３は、図２のＡ部の拡大図である。
【００２０】
本実施形態にかかるカミソリ刃１には、略正六角形状の複数の小孔１ａが略一定幅の帯状の桟部１ｂを挟んで密に配置されている。
【００２１】
この桟部１ｂは、図２に示すように、略への字形断面を有しており、その幅方向両側の端縁（すなわち、小孔１ａの内縁）１ｃをシャープエッジとすることで、刃先２ａが形成されている。
【００２２】
なお、本実施形態では、桟部１ｂの端縁１ｃ毎に一つの刃部２が形成されているものとする。すなわち、本実施形態にかかるカミソリ刃１は、六角形状の小孔１ａの辺の数（一つの小孔１ａにつき六個）だけ刃部２を有していることになる。
【００２３】
また、このカミソリ刃１は、図示しないホルダ等に装着され、当該ホルダや、カミソリ刃１の周辺部の表面１ｄ、肌当接部３の頂面等が剃毛対象物としての肌表面２０（図３）と当接することで規定される剃毛姿勢で、肌表面２０に沿って（図１の紙面に沿う方向；図２および図３では左右方向に）動かされ、これにより肌表面２０に生える毛が切断されるようになっている。
【００２４】
ここで、上記剃毛姿勢では、桟部１ｂの幅方向両側に形成される刃部２（の肌側表面２ｂ）は、いずれも、図２および図３に示すように、肌表面２０に向けて斜めに近接しながら伸びることになる。したがって、何らの特別な対策が施されることなく単に刃部２の先端縁をシャープエッジとすることで刃先２ａが形成されると、当該刃先２ａによって肌表面２０が傷つけられる場合が生じる。
【００２５】
そこで、本実施形態では、刃部２の肌側表面２ｂを、刃先２ａより基端側（本実施形態では桟部１ｂの幅方向中央側；図３では右側）となる位置で隆起させることで刃部２自体に肌当接部３を設け、これにより、剃毛姿勢で刃先２ａが肌表面２０に対して肌当接部３よりも引き込んだ位置（肌表面２０から僅かに離間した位置）に配置されるようにしている。すなわち、かかる構成によれば、刃先２ａが直接的に肌表面２０に接触する確率を減らして、当該刃先２ａによって肌表面２０が傷つけられるのを抑制することができる。
【００２６】
このとき、図３に示すように、肌当接部３は曲面状に形成されるのが好ましい。これにより、カミソリ刃１の肌表面２０との引っ掛かりが抑制され、当該カミソリ刃１のより円滑な動作（すなわち、肌当接部３の肌表面２０との摺動）が可能となるからである。
【００２７】
また、図４は、本実施形態の一変形例を示すもので、図３と同じ視線による刃先の拡大断面図であるが、この図４に示すように、刃部２を、肌当接部３を設けた位置で、肌表面２０から離間する側に僅かに屈曲させるようにしてもよい。こうすれば、刃先２ａによって肌が傷つけられる確率をさらに減らすことが可能となる。
【００２８】
また、図５は、本実施形態の別の変形例を示すもので、図３と同じ視線による刃先の拡大断面図である。（ａ）および（ｂ）は、一つの刃部について、刃先に沿う異なる位置での断面を示すものであって、（ａ）は、図１のVa−Va、（ｂ）は、図１のVb−Vbでの断面を示している。
【００２９】
この例では、（ａ）の位置では、肌当接部３の曲率半径Ｒａが小さく、隆起高さが比較的高くなっているのに対し（刃先２ａから肌当接部３の頂部までの距離はｔａ）、（ｂ）の位置では、肌当接部３の曲率半径Ｒｂが大きく、隆起高さが比較的低くなっている（刃先２ａから肌当接部３の頂部までの距離はｔｂ）。すなわち、Ｒａ＜Ｒｂ、ｔａ＞ｔｂとなっている。
【００３０】
刃部２の刃先２ａに沿って連続的に肌当接部３が形成されていると、肌当接部３によって毛屑や皮脂、剃毛時に使用した剤等が堰き止められて溜まってしまう虞があるが、本変形例のように、肌当接部３の隆起高さを刃先に沿って部分的に異ならせると、隆起高さが低い部分（この例では（ｂ）の部分）から毛屑や皮脂、剤等が流出させることができ、肌当接部３によって堰き止められて留まるのを抑制することができ、以て、刃部２を清潔に維持しやすくなる。なお、肌当接部３を刃先２ａに沿って部分的に設ける（部分的に設けない）ことによっても同様の効果が得られることは容易に理解できよう。
【００３１】
（第２実施形態）図６は、本実施形態にかかるカミソリ刃の平面図である。なお、本実施形態にかかるカミソリ刃１Ａは、上記第１実施形態にかかるカミソリ刃１と同様の構成要素を備えている。よって、それら同様の構成要素については共通の符号を付すとともに、重複する説明を省略する。
【００３２】
本実施形態にかかるカミソリ刃１Ａは、肌当接部（図６中では図示省略）が設けられた刃部２を備える桟部１ｂＡ（図中黒く塗りつぶしたもの）と、肌当接部が設けられていない刃部２を備える桟部１ｂＢ（図中白抜き）とを備えている。
【００３３】
すなわち、本実施形態では、複数の刃部２のうち一部の刃部２のみに肌当接部３を形成したため、肌当接部３が形成されていない刃部２から毛屑や皮脂、剃毛時に使用した剤等が流出することができ、肌当接部３によって毛屑や皮脂、剤等が堰き止められて溜まるのを抑制することができる。
【００３４】
（第３実施形態）図７は、実施形態にかかるカバー付きカミソリ刃を肌と接触する側から見た平面図であって、（ａ）はカミソリ刃本体、（ｂ）はカバー、（ｃ）はカミソリ刃本体にカバーを被せた状態を示す図である。なお、本実施形態にかかるカミソリ刃１Ｂは、上記第１実施形態にかかるカミソリ刃１と同様の構成要素を備えている。よって、それら同様の構成要素については共通の符号を付すとともに、重複する説明を省略する。
【００３５】
本実施形態では、図６の（ａ）に示すカミソリ刃１Ｂ自体には肌当接部を設けず、当該カミソリ刃１Ｂの肌側に、図６の（ｂ）に示す樹脂材料や金属材料からなる薄いメッシュ状のカバー４を被せることで、このカバー４を、肌当接部として用いるものである。
【００３６】
また、図６の（ｂ）に示すように、カバー４の各桟部４ａは、略三角形状の格子を形成しており、また、図６の（ｃ）に示すように、カミソリ刃１Ｂの刃部２（桟部１ｂ）の格子点と、カバー４の桟部４ａの格子点とは相互にずらして配置してある。本実施形態では、カバー４の格子点は、カミソリ刃１Ｂの小孔１ａの略中央に位置し、各桟部４ａが相互に隣接する小孔１ａの中心点同士を結ぶように配置されている。
【００３７】
かかる構成では、カバー４の桟部４ａが、肌当接部として機能する。すなわち、図６の（ｃ）に示すように、桟部４ａは、刃部２の肌側表面上で、刃先２ａの延伸方向と交叉する方向（この例では直交する方向）に当該刃先２ａを跨いでおり、上記第１および第２実施形態と同様に、この桟部４ａによって、刃先２ａが肌表面に対して桟部４ａよりも引き込んだ位置（肌表面から僅かに離間した位置）に配置されることになる。
【００３８】
すなわち、本実施形態によっても、刃先２ａが直接的に肌表面に接触する確率を減らして、当該刃先２ａによって肌表面が傷つけられるのを抑制することができる。また、本実施形態によれば、複数の刃部２が格子状に配列されたカミソリ刃１Ｂの肌側に、複数の肌当接部としての桟部４ａが格子状に配列されたカバー４を被せるという比較的簡素な構成によって、肌表面が傷つけられるのを抑制できるカミソリ刃１Ｂを得ることができる。
【００３９】
（第４実施形態）図８は、本実施形態にかかるカミソリ刃を設けたカミソリの側面図である。
【００４０】
本実施形態にかかるカミソリ刃１Ｃは、ライン状に形成され、安全カミソリ１０のホルダ（台座部）１０ａに組み込まれる。カミソリ刃１Ｃの先端縁には刃部２Ｃが形成され、当該刃部２Ｃには、図３や図４に示したのと同様の肌当接部３（図８中には図示せず）が形成される。すなわち、刃部２Ｃの肌側表面２ｂを、刃先２ａより基端側（図８で右側）となる位置で隆起させることで刃部２Ｃ自体に、図３や図４に示したものと同様の肌当接部３を設け、これにより、剃毛姿勢で刃先２ａが肌表面２０に対して肌当接部３よりも引き込んだ位置（肌表面２０から僅かに離間した位置）に配置されるようにしている。したがって、本実施形態によっても、刃先２ａが直接的に肌表面２０に接触する確率を減らして、当該刃先２ａによって肌表面２０が傷つけられるのを抑制することができる。
【００４１】
図９は、カミソリ刃１Ｃを二列平行に設けた安全カミソリ１０Ｄを示しているが、かかる構成においても、刃部２に図３や図４に示したものと同様の肌当接部を設けることで、同様の効果を得ることができる。
【００４２】
以上、本発明の好適な実施形態について説明したが、本発明は上記実施形態には限定されず種々の変形が可能である。例えば、上記実施形態では、略正六角形状の小孔を設けたメッシュ状のカミソリ刃を例示したが、小孔は、円形や、三角形、四角形等、種々の形状として実施することが可能である。そして、いずれの場合も、小孔の内縁をシャープエッジとして刃部が形成され、その刃先より僅かに基端側の位置で、当該刃先に沿って、肌当接部が連続的あるいは断続的に形成される。また、刃部や、刃先、肌当接部等のスペックも種々に変形可能である。
【図面の簡単な説明】
【００４３】
【図１】本発明の第１実施形態にかかるカミソリ刃の平面図である。
【図２】図１のII−II断面図である。
【図３】図２のＡ部の拡大図である。
【図４】本発明の第１実施形態の変形例にかかるカミソリ刃の先端部分の拡大図。
【図５】本発明の第１実施形態の別の変形例にかかるカミソリ刃の先端部分の拡大図であって、（ａ）は隆起高さが高い部分の拡大図、（ｂ）は隆起高さが低い部分の拡大図である。
【図６】本発明の第２実施形態にかかるカミソリ刃の平面図である。
【図７】本発明の第３実施形態にかかるカミソリ刃の平面図であって、（ａ）はカミソリ刃本体、（ｂ）はカバー、（ｃ）はカミソリ刃本体にカバーを被せた状態を示す図である。
【図８】本発明の第４実施形態にかかるカミソリ刃を設けたカミソリの側面図である。
【図９】本発明の第４実施形態の変形例にかかるカミソリ刃を設けたカミソリの側面図である。
【符号の説明】
【００４４】
１，１Ａ，１Ｂ，１Ｃ  カミソリ刃
２，２Ｃ  刃部
２ａ  刃先
２ｂ  肌側表面
３  肌当接部
４  カバー
４ａ  桟部（肌当接部）
２０  肌表面
【図１】
2008132002.tif 000003
【図２】
2008132002.tif 000004
【図３】
2008132002.tif 000005
【図４】
2008132002.tif 000006
【図５】
2008132002.tif 000007
【図６】
2008132002.tif 000008
【図７】
2008132002.tif 000009
【図８】
2008132002.tif 000010
【図９】
2008132002.tif 000011